【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
２つの石灰化促進剤を含み、一方の石灰化促進剤はカルシウムイオンの供与源であり、他方の石灰化促進剤はリン酸イオンの供与源である石灰化剤を用いて、生体物質を石灰化する方法において、前記方法は、
超音波源（４０、１４０）を供給するステップと、
前記石灰化剤を供給するステップと、
前記超音波源（４０、１４０）から超音波信号を発生させるステップと、
前記超音波信号と前記石灰化剤とを、別々にまたは順次にまたは同時に、前記生体物質へ印加するステップと、
を含む、
方法。
【請求項２】
リン酸塩、カルシウムおよびヒドロキシル／水の供給源を含む石灰化剤を用いて、生体物質を石灰化する方法において、前記方法は、
超音波源（４０、１４０）を供給するステップと、
前記石灰化剤を供給するステップと、
前記超音波源（４０、１４０）から超音波信号を発生させるステップと、
前記超音波信号と前記石灰化剤とを、別々にまたは順次にまたは同時に、前記生体物質へ印加するステップと、
を含む、
方法。
【請求項３】
カルシウム、リン酸塩、ヒドロキシルおよびフッ化物のイオンの供与源を含む石灰化剤を用いて、生体物質を石灰化する方法において、前記方法は、
超音波源（４０、１４０）を供給するステップと、
前記石灰化剤を供給するステップと、
前記超音波源（４０、１４０）から超音波信号を発生させるステップと、
前記超音波信号と前記石灰化剤とを、別々にまたは順次にまたは同時に、前記生体物質へ印加するステップと、
を含む、
方法。
【請求項４】
前記石灰化剤は、カゼインホスホペプチド−アモルファスカルシウムフルオライドホスフェート複合体（ＣＰＰ−ＡＣＦＰ）をさらに含む、
請求項３に記載の方法。
【請求項５】
ナノ粒子を含む石灰化剤を用いて、生体物質を石灰化する方法において、
前記ナノ粒子は、カルシウムと、リン酸塩と、ヒドロキシルおよびフッ化物のうち少なくとも一方と、を含み、
前記方法は、
超音波源（４０、１４０）を供給するステップと、
前記石灰化剤を供給するステップと、
前記超音波源（４０、１４０）から超音波信号を発生させるステップと、
前記超音波信号と前記石灰化剤とを、別々にまたは順次にまたは同時に、前記生体物質へ印加するステップと、
を含む、
方法。
【請求項６】
前記ナノ粒子は、カルシウムヒドロキシアパタイトをさらに含む、
請求項５に記載の方法。
【請求項７】
カゼインホスホペプチド−アモルファスカルシウムホスフェート複合体（ＣＰＰ−ＡＣＰ）を含む石灰化剤を用いて、生体物質を石灰化する方法において、前記方法は、
超音波源（４０、１４０）を供給するステップと、
前記石灰化剤を供給するステップと、
前記超音波源（４０、１４０）から超音波信号を発生させるステップと、
前記超音波信号と前記石灰化剤とを、別々にまたは順次にまたは同時に、前記生体物質へ印加するステップと、
を含む、
方法。
【請求項８】
前記方法は、前記生体物質のイオン導入法治療を含み、前記方法は、
第１電極と第２電極と電気信号発生器と制御装置（４１、１４１）とを供給するステップと、
前記第１電極と前記第２電極との間に電気信号を発生させるステップと、
前記第１電極と前記第２電極との間の前記電気信号の電気的応答を検出するステップと、
前記検出された電気的応答に関連させて、前記超音波信号および前記電気信号のうち少なくとも一方を制御するステップと、
をさらに含む、
請求項１から７のいずれかに記載の方法。
【請求項９】
前記検出された電気的応答に関連させて、前記超音波信号および前記電気信号のうち少なくとも一方を制御する前記ステップは、
種々の石灰化段階における生体物質サンプルのセットから導出された特有の電気的応答のデータのセットを、前記検出された電気的応答と比較するステップと、
前記超音波信号および前記電気信号のうち少なくとも一方に要求される何らかの変更を決定するステップと、
を含む、
請求項８に記載の方法。
【請求項１０】
生体物質の石灰化するため装置と、前記装置で使用され、生体物質を石灰化するための石灰化剤と、を含むキットにおいて、
前記装置は、
超音波信号を発生する超音波源と、
超音波プローブと、
石灰化剤を収容する１つまたは複数の石灰化プローブと、
を含み、
前記石灰化剤は、少なくとも１つの石灰化プローブから前記生体物質へ、前記超音波信号を用いて搬送され、
前記石灰化剤は、２つの石灰化促進剤を含み、一方の石灰化促進剤はカルシウムイオンの供与源であり、他方の石灰化促進剤はリン酸イオンの供与源である、
キット。
【請求項１１】
生体物質の石灰化するため装置と、前記装置で使用され、生体物質を石灰化するための石灰化剤と、を含むキットにおいて、
前記装置は、
超音波信号を発生する超音波源と、
超音波プローブと、
石灰化剤を収容する１つまたは複数の石灰化プローブと、
を含み、
前記石灰化剤は、少なくとも１つの石灰化プローブから前記生体物質へ、前記超音波信号を用いて搬送され、
前記石灰化剤は、リン酸塩、カルシウムおよびヒドロキシル／水の供給源を含む、
キット。
【請求項１２】
生体物質の石灰化するため装置と、前記装置で使用され、生体物質を石灰化するための石灰化剤と、を含むキットにおいて、
前記装置は、
超音波信号を発生する超音波源と、
超音波プローブと、
石灰化剤を収容する１つまたは複数の石灰化プローブと、
を含み、
前記石灰化剤は、少なくとも１つの石灰化プローブから前記生体物質へ、前記超音波信号を用いて搬送され、
前記石灰化剤は、カルシウム、リン酸塩、ヒドロキシルおよびフッ化物のイオンの供与源を含む、
キット。
【請求項１３】
前記石灰化剤は、カゼインホスホペプチド−アモルファスカルシウムフルオライドホスフェート複合体（ＣＰＰ−ＡＣＦＰ）をさらに含む、
請求項１２に記載のキット。
【請求項１４】
生体物質の石灰化するため装置と、前記装置で使用され、生体物質を石灰化するための石灰化剤と、を含むキットにおいて、
前記装置は、
超音波信号を発生する超音波源と、
超音波プローブと、
石灰化剤を収容する１つまたは複数の石灰化プローブと、
を含み、
前記石灰化剤は、少なくとも１つの石灰化プローブから前記生体物質へ、前記超音波信号を用いて搬送され、
前記石灰化剤は、ナノ粒子を含み、
前記ナノ粒子は、カルシウムおよびリン酸塩を含む、
キット。
【請求項１５】
生体物質の石灰化するため装置と、前記装置で使用され、生体物質を石灰化するための石灰化剤と、を含むキットにおいて、
前記装置は、
超音波信号を発生する超音波源と、
超音波プローブと、
石灰化剤を収容する１つまたは複数の石灰化プローブと、
を含み、
前記石灰化剤は、少なくとも１つの石灰化プローブから前記生体物質へ、前記超音波信号を用いて搬送され、
前記石灰化剤は、カゼインホスホペプチド−アモルファスカルシウムホスフェート複合体（ＣＰＰ−ＡＣＰ）を含む、
キット。
【請求項１６】
前記装置は、
第１電極および第２電極と、
前記第１電極と前記第２電極との間に電気信号を発生させる電気信号発生器と、
前記第１電極と前記第２電極との間の前記電気信号の電気的応答を検出する検出器（５３）と、
前記検出された電気的応答を受信し、前記電気的応答に関連させて前記超音波信号を制御する制御装置（４１、１４１）と、
を含む、
請求項１０から１５のいずれかに記載のキット。
【請求項１７】
前記制御装置（４１、１４１）は、第１ソフトフェアモジュールおよび第２ソフトウェアモジュールを含み、
前記第１ソフトフェアモジュールは、種々の石灰化段階におけるサンプル生体物質に特有の電気的応答を表すデータのセットを有しており、
前記第２ソフトウェアモジュールは、前記データを前記検出された電気的応答と比較することによって、前記電気信号および前記超音波信号のうち少なくとも一方に要求される何らかの変更を決定する、
請求項１６に記載のキット。
【請求項１８】
前記第２ソフトウェアモジュールは、石灰化と電気的応答との関係を定義した関数を適用し、前記データを前記検出された電気的応答と比較することにより、前記電気信号および前記超音波信号のうち少なくとも一方に要求される何らかの変更を決定する、
または、
前記第２ソフトウェアモジュールは、前記生体物質の前記電気的応答と前記生体物質の石灰化とに関する情報を含むルックアップテーブルを適用し、前記データを前記検出された電気的応答と比較し、前記電気信号および前記超音波信号のうち少なくとも一方に要求される何らかの変更を決定する、
請求項１７に記載のキット。